(57)【要約】【課題】底面板の前後方向サイズを大きくすることなく空気吸込面積を増大させる。【解決手段】前面板１１、背面板１２、天面板１３、空気吸込口１４ａ及び空気吹出開口１４ｃを有する底面板１４、左側面板１５、及び右側面板１６を有する箱型の筐体１０と、天面板１３の下面に取り付けられる熱交換器２０Ａ，２０Ｂと、空気吸込口１４ａから熱交換器２０Ａ，２０Ｂを経由して吸い込んだ空気を吹出筒４３ｂから吹き出すシロッコファン４０と、熱交換器２０Ａ，２０Ｂで生じた露を集めるドレンパン５０と、シロッコファン４０の吹出筒４３ｂから吹き出される空気を前面板１１の前方の下方にガイドするよう吹出筒３２ｂと空気吹出開口１４ｃを連通させる吹出ガイド筒５０とを備える。底面板１４には、空気吹出開口１４ｃと空気吸込口１４ａの間に補助空気吸込口１４ｂが形成されている。【選択図】図１
2019203630.tif 000002
【特許請求の範囲】
【請求項１】
前面板、背面板、天面板、空気吸込口及び空気吹出口を有する底面板、左側面板、及び右側面板を有する箱型の筐体と、前記天面板の下面に取り付けられる熱交換器と、吹出筒を有し、前記空気吸込口から熱交換器を経由して吸い込んだ空気を前記吹出筒から吹き出すシロッコファンと、前記熱交換器で生じた露を集めるドレンパンと、前記シロッコファンの前記吹出筒から吹き出される空気を前記前面板の前方の下方にガイドするよう前記吹出筒と前記空気吹出口をつなぐ吹出ガイド筒とを備え、
前記底面板は、前記空気吹出開口と前記空気吸込口の間に補助空気吸込口が形成されていることを特徴とする天井埋込型空気調和機。
【請求項２】
請求項１に記載の天井埋込型空気調和機において、
前記シロッコファンと前記吹出ガイド筒が複数個設けられ、前記複数個の吹出ガイド筒のうちの隣り合う吹出ガイド筒の間に対応する位置に前記補助吸込口が形成されていることを特徴とする天井埋込型空気調和機。
【請求項３】
請求項１又は２に記載の天井埋込型空気調和機において、
前記吹出ガイド筒は、前記補助空気吸込口から前記前面板の前方の斜め下方に遠ざかるように湾曲した導風路を備えていることを特徴とする天井埋込型空気調和機。
【発明の詳細な説明】
【技術分野】
【０００１】
本発明は、天井埋込型空気調和機に関するものである。
【背景技術】
【０００２】
空調室内の天井裏に設置される天井埋込型空気調和機（室内機）は、屋外に設置される室外機と冷媒配管で接続されて冷媒回路を形成している。
【０００３】
天井埋込型空気調和機は、箱型の筐体とその筐体の底面を覆う化粧パネルで囲まれた内部に、シロッコファンと熱交換器とドレンパンが配置される。シロッコファンはその吹出筒が化粧パネルの空気吹出口につながるように配置される。熱交換器はシロッコファンと化粧パネルの空気吸込口の間に配置される。そして、シロッコファンが回転することにより、化粧パネルの空気吸込口から吸い込まれた空気が、熱交換器で冷媒と熱交換されてシロッコファンに吸い込まれ、化粧パネルの空気吹出口から吹き出される（特許文献１）。
【０００４】
このように、熱交換される空気は空気吸込口から熱交換器とシロッコファンを経由して空気吹出口から吹き出されるので、熱交換容量を増大させるために熱交換器をさらに追加して２個とし、２個の熱交換器それぞれに空気吸込口を設けると、化粧パネルが大型化する。
【０００５】
そこで、この問題を解決する天井埋込型空気調和機として図２に示す構成のものが考えられる。この天井埋込型空気調和機１００Ａは、筐体１０の天面板１３の下面１３ａに第１熱交換器２０Ａと第２熱交換器２０Ｂを配置し、両熱交換器２０Ａ，２０Ｂ間にシロッコファン３０を配置し、そのシロッコファン３０のファンケーシング３３の吹出筒３３ｂと化粧パネルとしても機能する底面板１４の空気吹出口１４ｃとの間を吹出ガイド筒５０でつながらせ、底面板１４にはさらに空気吸込口１４ａを設けたものである。
【０００６】
この天井埋込型空気調和機１００Ａは、シロッコファン３０のファンモータ３１が回転すると、空気吸込口１４ａから背面板１２の内側の導風路Ｓ１を経由して第２熱交換器２０Ｂに空気を吸い込む他に、底面板１４とドレンパン４０の間の導風路Ｓ２と前面板１１の内側の導風路Ｓ３を経由して第１熱交換器２０Ａにも空気を吸い込む。
【０００７】
このようにしてシロッコファン３０に向かって吸い込まれる空気は第１熱交換器２０Ａ及び第２熱交換器２０Ｂにおいて冷媒と熱交換されるので、熱交換容量を増大させることができる。また、空気吸込口１４ａが１個で済む。
【先行技術文献】
【特許文献】
【０００８】
【特許文献１】特開２０００−２１３７６７号公報
【発明の概要】
【発明が解決しようとする課題】
【０００９】
ところで、このような天井埋込型空気調和機１００Ａでは、吸込空気量の増大を図るには、空気吸込口１４ａを拡大すればよい。しかし、空気吸込口１４ａを拡大するには筐体１０の背面板１２を後方にずらして底面板１４の前後方向サイズを大きくする必要があり、天井埋込型空気調和機１００Ａが大型化する。
【００１０】
本発明の目的は、底面板の前後方向サイズを大きくすることなく空気吸込面積を増大した天井埋込型空気調和機を提供することである。
【課題を解決するための手段】
【００１１】
上述した課題を解決するために請求項１にかかる発明は、前面板、背面板、天面板、空気吸込口及び空気吹出口を有する底面板、左側面板、及び右側面板を有する箱型の筐体と、前記天面板の下面に取り付けられる熱交換器と、吹出筒を有し、前記空気吸込口から熱交換器を経由して吸い込んだ空気を前記吹出筒から吹き出すシロッコファンと、前記熱交換器で生じた露を集めるドレンパンと、前記シロッコファンの前記吹出筒から吹き出される空気を前記前面板の前方の下方にガイドするよう前記吹出筒と前記空気吹出口をつなぐ吹出ガイド筒とを備え、前記底面板は、前記空気吹出開口と前記空気吸込口の間に補助空気吸込口が形成されていることを特徴とする。
請求項２にかかる発明は、請求項１に記載の天井埋込型空気調和機において、前記シロッコファンと前記吹出ガイド筒が複数個設けられ、前記複数個の吹出ガイド筒のうちの隣り合う吹出ガイド筒の間に対応する位置に前記補助吸込口が形成されていることを特徴とする。
請求項３にかかる発明は、請求項１又は２に記載の天井埋込型空気調和機において、前記吹出ガイド筒は、前記補助空気吸込口から前記前面板の前方の斜め下方に遠ざかるように湾曲した導風路を備えていることを特徴とする。
【発明の効果】
【００１２】
本発明によれば、底面板における空気吹出口と空気吸込口の間に補助空気吸込口が形成されているので、吸込面積は空気吸込口の面積と補助空気吸込口の面積の合計となり、底面板の前後方向サイズを大きくすることなく吸込面積を増大することができる。
【図面の簡単な説明】
【００１３】
【図１】本発明の実施例の天井埋込型空気調和機の縦断面図である。
【図２】図１のＡ−Ａ線断面図である。
【図３】従来の天井埋込型空気調和機の縦断面図である。
【発明を実施するための形態】
【００１４】
以下、本発明の実施例の天井埋込型空気調和機１００を説明する。天井埋込型空気調和機１００は、図１に示すように、室内の天井２００の裏側に設置される。この天井埋込型空気調和機１００は、筐体１０で全体が囲まれている。筐体１０は、前面板１１、背面板１２、天面板１３、空気吸込口１４ａ及び空気吹出口１４ｃを有する底面板１４、図１の紙面奥側に設けられる図示しない左側面板、及び図１の紙面手前側に設けられる図示しない右側面板を有する箱型である。底面板１４の下面は室内に露出するのでその下面には化粧板として必要な図示しないデザインが施されている。
【００１５】
天面板１３の下面１３ａの前面板１１の側に、天面板１３に垂直な姿勢で平板形状の第１熱交換器２０Ａが取り付けられている。また、天面板１３の下面１３ａの背面板１２の側に、同様に天面板１３に垂直な姿勢で平板形状の第２熱交換器２０Ｂが取り付けられている。そして、第１熱交換器２０Ａと第２熱交換器２０Ｂの間にシロッコファン３０が配置されている。
【００１６】
このシロッコファン３０は、ファンモータ３１と、ファンモータ３１の回転軸３１ａに固着された羽根車３２と、側面に羽根車３２に通じる吸込口３３ａが形成され下面に羽根車３２の外周面に対面する吹出筒３３ｂが形成されたファンケーシング３３を有する。
【００１７】
第１熱交換器２０Ａ及び第２熱交換器２０Ｂの下には、それら第１熱交換器２０Ａ及び第２熱交換器３０Ｂで生じた露を集めるドレンパン４０が配置されている。
【００１８】
前記したシロッコファン３０の吹出筒３３ｂには、底面板１４の空気吹出開口１４ｂに挿入される吹出ガイド筒５０の上端開口５１がつながっている。この吹出ガイド筒５０は、上端開口５１と下端開口５２の間の導風路Ｓ４が下方向の前方にかけて湾曲した形状に形成され、下端開口５２の開口面５２ａが前面板１１の下面の前方を向くよう配置されている。また、この吹出ガイド筒５０は、ドレンパン４０の吹出開口４１と底面板１４の空気吹出口１４ｃを貫通し、その吹出ガイド筒５０の下端開口５２が実質的な空気吹出口となる。底面板１４の空気吸込口１４ａは、空気吹出開口１４ｂと背面板１２との間に設けられている。
【００１９】
この天井埋込型空気調和機１００は、シロッコファン３０のファンモータ３１が回転すると、空気吸込口１４ａから第２熱交換器２０Ｂと背面板１２の間の導風路Ｓ１を経由して第２熱交換器２０Ｂに空気を吸い込む他に、底面板１４とドレンパン４０の間の導風路Ｓ２と前面板１１と第１熱交換器２０Ａの間の導風路Ｓ３を経由して第１熱交換器２０Ａに空気を吸い込む。そして、第１熱交換器２０Ａ及び第２熱交換器２０Ｂにおいて冷媒と熱交換されてからシロッコファン３０に吸い込まれる空気は、ファンケーシング３３の吹出筒３３ｂから吹出ガイド筒５０の導風路Ｓ４を経由して前面板１１の下方前方に吹き出される。
【００２０】
さて、本実施例では、底面板１４の空気吸込口１４ａと空気吹出口１４ｃとの間に、補助空気吸込口１４ｂを設けている。モータ３１を共通にしたシロッコファン３０を３個使用してファンユニットを構成する場合は、吹出ガイド筒５０も３個使用されるので、空気吹出口１４ｃも各ファンケーシング３３毎に、図２に示すように３個設けられる。そこで本実施例で設ける補助空気吸込口１４ｂは、隣り合う空気吹出口１４ｃの間と空気吸込口１４ａの間に２個設けている。これは、通風路Ｓ３方向への通風の抵抗となる吹出ガイド筒５０を避けるためと、補助空気吸込口１４ｂの形成による底面板１４の強度低下を避けるためである。
【００２１】
この結果、空気の吸込面積は、空気吸込口１４ａの開口面積に２個の補助空気吸込口１４ｂの開口面積が追加されるので、吸込面積が増大する。空気吸込口１４ａから吸い込まれる空気ＡＩＲ１は、空気吸込口１４ａに直線的に連続する通風路Ｓ１には多く分配され、空気吸込口１４ａから曲折する通風路Ｓ２、Ｓ３には少なく分配されるが、その通風路Ｓ２，Ｓ３には補助空気吸込口１４ｂから吸い込まれる空気ＡＩＲ２が合流する。よって、通風路Ｓ２，Ｓ３への吸込空気量が増大して通風路Ｓ１への吸込空気量との合計の吸込空気量が増大し、熱交換容量を大きくすることができる。
【００２２】
このとき、補助空気吸込口１４ｂは空気吹出開口１４ｃの近傍に形成されることになるが、空気吹出開口１４ｃに挿入される吹出ガイド筒５０は、その下端開口５２の開口面５２ａが前方の斜め下方を向いているので、吹出ガイド筒５０の下端開口５２から吹き出される空気が補助空気吸込口１４ｂに回り込むいわゆるショートサーキットが生じることはない。
【００２３】
なお、補助空気吸込口１４ｂを２個に分割したのは、吸込空気の通風路Ｓ３方向への通風抵抗となる吹出ガイド筒５０を避けるためと、補助空気吸込口１４ｂの形成による底面板１４の強度低下を避けるためである。しかし、これらを考慮しなくても良い場合は、左側面板１５と右側面板１６の間に、空気吸込口１４ａに平行に空気吸込口１４ａと同じ長さだけ連続するように、１個の補助空気吸込口１４ｂを形成してもよい。
【符号の説明】
【００２４】
１００：天井埋込型空気調和機、２００：天井
１０：筐体、１１：前面板、１２：背面板、１３：天面板、１４：底面板、１５：左側面板、１６：右側面板、１４ａ：空気吸込口、１４ｂ：補助空気吸込口、１４ｃ：空気吹出開口
２０Ａ：第１熱交換器、２０Ｂ：第２熱交換器
３０：シロッコファン、３１：ファンモータ、３２：羽根車、３３：ファンケーシング、３３ａ：吸込口、３３ｂ：吹出筒
４０：ドレンパン、４１：吹出開口
５０：吹出ガイド筒、５１：上端開口、５２：導風路、５３：下端開口
【図１】
2019203630.tif 000003
【図２】
2019203630.tif 000004
【図３】
2019203630.tif 000005